(57)【要約】【課題】ねじり振動ダンパーを有効に冷却し、高負荷時等でも作業機が順調に動作するエンジン駆動作業装置を提供する。【解決手段】  エンジンと、前記エンジンによって駆動される作業機と、前記エンジン及び前記作業機に冷却空気を供給する冷却ファンとを備えたエンジン駆動作用装置において、前記エンジンのねじり振動を吸収するねじり振動ダンパーを設け、前記ねじり振動ダンパーの冷却は前記冷却ファンとは別置きの冷却ファンにて冷却するので、エンジンのねじり振動を吸収するねじり振動ダンパーを有効に冷却し、高負荷時等でも作業機が順調に動作するエンジン駆動作業装置を提供することができる。【選択図】図１
2007107388.tif 000002
【特許請求の範囲】
【請求項１】
エンジンと、前記エンジンによって駆動される作業機と、前記エンジン及び前記作業機に冷却空気を供給する冷却ファンとを備えたエンジン駆動作業装置において、前記エンジンのねじり振動を吸収するねじり振動ダンパーを設け、前記ねじり振動ダンパーは前記冷却ファンとは別置き冷却ファンにて冷却することを特徴とするエンジン駆動作業装置。
【請求項２】
請求項１記載のエンジン駆動作業装置において、前記別置き冷却ファンを複数備え、多方向より前記ねじり振動ダンパーを冷却することを特徴とするエンジン駆動作業装置。
【請求項３】
請求項１または２記載のエンジン駆動作業装置において、前記別置き冷却ファンの吸気側に出口を配置し、入口を外気に連通したダクトに設けたことを特徴とするエンジン駆動作業装置。
【請求項４】
エンジンと、前記エンジンによって駆動される作業機と、前記エンジン及び前記作業機に冷却空気を供給する冷却ファンとを備えたエンジン駆動作業装置において、前記エンジンのねじり振動を吸収するねじり振動ダンパーを設け、前記ねじり振動ダンパーの周囲にダクトを配置して前記ねじり振動ダンパーを冷却することを特徴とするエンジン駆動作業装置。
【請求項５】
エンジンと、前記エンジンによって駆動される作業機と、前記エンジン及び前記作業機に冷却空気を供給する冷却ファンとを備えたエンジン駆動作業装置において、前記作業機を、発電機等の自身が冷却ファンを有する自己冷却作業機とし、当該自己冷却作業機の冷却排気によって前記エンジンのねじり振動を吸収するねじり振動ダンパーを冷却することを特徴とするエンジン駆動作業装置。
【発明の詳細な説明】
【技術分野】
【０００１】
本発明は、エンジン駆動作業装置に係り、特にエンジンねじり振動ダンパーをを備えたエンジン駆動作業装置に関する。
【背景技術】
【０００２】
従来のエンジン駆動作業装置の概要を図１１および図１２を参照して説明する。  
図１１はエンジン駆動作業装置の内部構成を上から見た図、図１２は側面から見た図である。図１１および図１２に示すように、従来のエンジン駆動作業装置は、エンジン１およびエンジン１によって駆動される作業機２と、エンジン１および作業機２を制御する制御盤３と、エンジン駆動作業機を構成する機器を収納し風雨から保護する筐体４を装備している。過給機５と空気冷却器６は必要に応じて装備するもので、ここでは説明の都合上表示する。放熱器７はエンジン冷却水の冷却に供する。
【０００３】
また、ねじり振動ダンパー８はエンジン１のねじり振動を吸収し、エンジン１および作業機２がねじり振動によって破損されるのを防護している。作業機２はエンジン駆動作業装置が設置される場所および用途によって空気圧縮機、発電機、溶接機等が選択される。エンジン１には作業機２が接続されており所望の作業ができるようになっている。制御盤３はエンジン１および作業機２をエンジン駆動作業装置の状態に応じて適切な状態に保つ制御を行っている。筐体４はエンジン駆動作業装置を構成する機器を収納し、風雨から保護すると同時に、筐体４内に取り込まれた空気が適切な順路を通って排出されるように通風路の役割も兼ね備えている。図中の矢印は空気の流れを示している。
【０００４】
エンジン駆動作業装置の従来例として、本発明者等が先に提案した特許文献１がある。この特許文献１に示すように、エンジン駆動作業装置の冷却構造としては、空気冷却器６および放熱器７を設置した空間と、エンジン１，作業機２および制御盤３を設置した空間を隔壁１７によって分離し、それぞれ冷却ファン９で冷却を行うようにしている。
【０００５】
冷却空気１０は筐体４の側面に設けられた空気取入口１１から吸込み、冷却ファン９により上方に排出される。同様に、冷却空気１２も空気取入口１３から吸込み、筐体４の上方に排出される。また、冷却空気１４は空気取入口１５から吸込み、作業機２、制御盤３、エンジン１を冷却して冷却空気１６となって筐体４の上方に排出される。
【０００６】
しかしながら、上記構成のエンジン駆動作業装置においては、ねじり振動ダンパー８を積極的に冷却する構造となっていないため、エンジン１の出力を絞ることによってねじり振動ダンパー８の温度が上限を超えないようにしている。従って、高負荷等ねじり振動ダンパー８の温度が上限を超えそうな場合には必要な出力が得られず、作業機の動作に支障を招くという問題があった。
【特許文献１】特願２００５−１４８０１９
【発明の開示】
【発明が解決しようとする課題】
【０００７】
本発明は、上記事情に鑑みてなされたもので、その課題は、ねじり振動ダンパーを有効に冷却し、高負荷時等でも作業機が順調に動作するエンジン駆動作業装置を提供することにある。
【課題を解決するための手段】
【０００８】
上記課題を解決するために、本発明の請求項１は、エンジンと、前記エンジンによって駆動される作業機と、前記エンジン及び前記作業機に冷却空気を供給する冷却ファンとを備えたエンジン駆動作業装置において、前記エンジンのねじり振動を吸収するねじり振動ダンパーを設け、前記ねじり振動ダンパーは前記冷却ファンとは別置き冷却ファンにて冷却することを特徴とする。
【０００９】
本発明の請求項２は、請求項１記載のエンジン駆動作業装置において、前記別置き冷却ファンを複数備え、多方向より前記ねじり振動ダンパーを冷却することを特徴とする。
【００１０】
本発明の請求項３は、請求項１または２記載のエンジン駆動作業装置において、前記別置き冷却ファンの吸気側に出口を配置し、入口を外気に連通したダクトに設けたことを特徴とする。
【００１１】
本発明の請求項４は、エンジンと、前記エンジンによって駆動される作業機と、前記エンジン及び前記作業機に冷却空気を供給する冷却ファンとを備えたエンジン駆動作業装置において、前記エンジンのねじり振動を吸収するねじり振動ダンパーを設け、前記ねじり振動ダンパーの周囲にダクトを配置して前記ねじり振動ダンパーを冷却することを特徴とする。
【００１２】
本発明の請求項５は、エンジンと、前記エンジンによって駆動される作業機と、前記エンジン及び前記作業機に冷却空気を供給する冷却ファンとを備えたエンジン駆動作業装置において、前記作業機を、発電機等の自身が冷却ファンを有する自己冷却作業機とし、当該自己冷却作業機の冷却排気によって前記エンジンのねじり振動を吸収するねじり振動ダンパーを冷却することを特徴とする。
【発明の効果】
【００１３】
本発明によれば、エンジンのねじり振動を吸収するねじり振動ダンパーを有効に冷却し、高負荷時等でも作業機が順調に動作するエンジン駆動作業装置を提供することができる。
【発明を実施するための最良の形態】
【００１４】
以下、本発明を実施するための最良の形態を図を参照して説明する。  
図１および図２は本発明の第１実施形態であるエンジン駆動作業装置の構成図であり、図１はエンジン駆動作業装置の内部構成を上から見た図、図２は側面から見た図である。
【００１５】
本実施形態のエンジン駆動作業装置が従来のエンジン駆動作業装置である図１１および図１２と相違する構成は、ねじり振動ダンパー８の正面部分に別置きの冷却ファン１８を設置した点であり、その他の構成は同一であるので、同一構成部分は同一符号を符してその説明を省略する。
【００１６】
次に、本実施形態の作用について説明する。  
エンジン駆動作業装置が稼働中は、冷却ファン９によって冷却空気１０，１２，１６は空気冷却器６および放熱器７を設置した空間に導入される。この時、冷却空気１６はエンジン１の側面を流れるため、ねじり振動ダンパー８の冷却にはほとんど寄与しない。しかしながら、別置きの冷却ファン１８が冷却空気１６とは関係なく直接ねじり振動ダンパー８を冷却するため、ねじり振動ダンパー８は有効に冷却される。
【００１７】
従って、本実施形態においては、エンジンのねじり振動を吸収するねじり振動ダンパーを有効に冷却するので、高負荷時等でも作業機が順調に動作するエンジン駆動作業装置を提供することができる。
【００１８】
図３および図４は本発明の第２実施形態であるエンジン駆動作業装置の構成図であり、図３はエンジン駆動作業装置の内部構成を上から見た図、図４は側面から見た図である。
本実施形態のエンジン駆動作業装置が第１実施形態のエンジン駆動作業装置と相違する構成は、ねじり振動ダンパー８の正面部分に別置きの冷却ファン群１９を設置し、多方向よりねじり振動ダンパー８を冷却するようにした点であり、その他の構成は同一であるので、同一構成部分は同一符号を符してその説明を省略する。
【００１９】
次に、本実施形態の作用について説明する。  
本実施形態では、別置きの冷却ファン群１９が多方向より直接ねじり振動ダンパー８を冷却するため、ねじり振動ダンパー８はより有効に冷却される。
【００２０】
従って、本実施形態においては、エンジンのねじり振動を吸収するねじり振動ダンパーを有効に冷却するので、高負荷時等でも作業機が順調に動作するエンジン駆動作業装置を提供することができる。
【００２１】
図５および図６は本発明の第３実施形態であるエンジン駆動作業装置の構成図であり、図５はエンジン駆動作業装置の内部構成を上から見た図、図６は側面から見た図である。
本実施形態のエンジン駆動作業装置が第１実施形態のエンジン駆動作業装置と相違する構成は、別置きの冷却ファン１８の吸気側に出口を配置し、入口を外気に連通したダクト２０に設けた点であり、その他の構成は同一であるので、同一構成部分は同一符号を符してその説明を省略する。
【００２２】
次に、本実施形態の作用について説明する。  
本実施形態のエンジン駆動作業装置は、別置きの冷却ファン１８の吸気側に出口を配置し、入口を外気に連通したダクト２０に設けた構成に特徴があるので、外気から直接冷却空気２１がダクト２０内を通ってねじり振動ダンパー８を冷却するため、ねじり振動ダンパー８はより有効に冷却される。
【００２３】
従って、本実施形態においては、エンジンのねじり振動を吸収するねじり振動ダンパーを有効に冷却するので、高負荷時等でも作業機が順調に動作するエンジン駆動作業装置を提供することができる。
【００２４】
図７および図８は本発明の第４実施形態であるエンジン駆動作業装置の構成図であり、図７はエンジン駆動作業装置の内部構成を上から見た図、図８は側面から見た図である。
本実施形態のエンジン駆動作業装置が第１実施形態のエンジン駆動作業装置と相違する構成は、ねじり振動ダンパー８の周囲にダクト２２を配置してねじり振動ダンパー８を積極的に冷却するようにした点であり、その他の構成は同一であるので、同一構成部分は同一符号を符してその説明を省略する。
【００２５】
次に、本実施形態の作用について説明する。  
本実施形態のエンジン駆動作業装置が稼働中は、冷却ファン９によって冷却空気１０，１２，１６は空気冷却器６および放熱器７を設置した空間に導入される。この時、冷却空気１６はエンジン１の側面を流れ、さらにダクト２２に沿ってねじり振動ダンパー８を直接冷却しながら流れる。
【００２６】
従って、本実施形態においては、エンジンのねじり振動を吸収するねじり振動ダンパーを有効に冷却するので、高負荷時等でも作業機が順調に動作するエンジン駆動作業装置を提供することができる。
【００２７】
図９および図１０は本発明の第５実施形態であるエンジン駆動作業装置の構成図であり、図９はエンジン駆動作業装置の内部構成を上から見た図、図１０は側面から見た図である。  
本実施形態のエンジン駆動作業装置が第１実施形態のエンジン駆動作業装置と相違する構成は、作業機を、例えば発電機等のそれ自体が備えた図示しない冷却ファンを有する自己冷却作業機２３とし、自己冷却作業機２３の冷却排気出口に排気ダクト２４を設け、排気ダクト２４の出口をねじり振動ダンパー８に対向した点であり、その他の構成は同一であるので、同一構成部分は同一符号を符してその説明を省略する。
【００２８】
次に、本実施形態の作用について説明する。  
本実施形態のエンジン駆動作業装置が稼働中は、自己冷却作業機２３は作業機冷却空気２５を冷却吸気入口より吸気する。作業機冷却空気２５は自己冷却作業機２３を冷却し、冷却排気出口から排気ダクト２４を通ってねじり振動ダンパー８を直接冷却する。
【００２９】
従って、本実施形態においては、エンジンのねじり振動を吸収するねじり振動ダンパーを有効に冷却するので、高負荷時等でも作業機が順調に動作するエンジン駆動作業装置を提供することができる。
【図面の簡単な説明】
【００３０】
【図１】本発明の第１の実施形態のエンジン駆動作業装置を上方から見た図。
【図２】図１のエンジン駆動作業装置を側面から見た図。
【図３】本発明の第２の実施形態のエンジン駆動作業装置を上方から見た図。
【図４】図３のエンジン駆動作業装置を側面から見た図。
【図５】本発明の第３の実施形態のエンジン駆動作業装置を上方から見た図。
【図６】図５のエンジン駆動作業装置を側面から見た図。
【図７】本発明の第４の実施形態のエンジン駆動作業装置を上方から見た図。
【図８】図７のエンジン駆動作業装置を側面から見た図。
【図９】本発明の第５の実施形態のエンジン駆動作業装置を上方から見た図。
【図１０】図９のエンジン駆動作業装置を側面から見た図。
【図１１】従来のエンジン駆動作業装置を上方から見た図。
【図１２】図１１の従来のエンジン駆動作業装置を側面から見た図。
【符号の説明】
【００３１】
１…エンジン、２…作業機、３…制御盤、４…筐体、５…過給機、６…空気冷却器、７…放熱器、８…ねじり振動ダンパー、９…冷却ファン、１０…冷却空気（空気冷却器側）、１１…冷却空気取入口（空気冷却器用）、１２…冷却空気（放熱器側）、１３…冷却空気取入口（空気冷却器用）、１４…冷却空気（エンジン・作業機用）、１５…冷却空気取入口（エンジン・作業機用）、１６…冷却空気（エンジン・作業機冷却済）、１７…隔壁、１８…別置きの冷却ファン、１９…別置きの冷却ファン群、２０…ダクト、２１…冷却空気（別置きの冷却ファン用）、２２ダクト（ねじり振動ダンパー用）、２３…自己冷却作業機、２４…排気ダクト、２５…作業機冷却空気。
【図１】
2007107388.tif 000003
【図２】
2007107388.tif 000004
【図３】
2007107388.tif 000005
【図４】
2007107388.tif 000006
【図５】
2007107388.tif 000007
【図６】
2007107388.tif 000008
【図７】
2007107388.tif 000009
【図８】
2007107388.tif 000010
【図９】
2007107388.tif 000011
【図１０】
2007107388.tif 000012
【図１１】
2007107388.tif 000013
【図１２】
2007107388.tif 000014